(57)【要約】【目的】建物の壁面に所望の有体物を低コストで容易に且つ安定的に引っ掛けることを可能にする金属製引っ掛け用具及び引っ掛け方法を提供する。また、低コストで容易に且つ安定的に建物外壁面に緑化パネルを取り付けることを可能にする壁面緑化システム及び方法を提供する。【構成】本体部が建物のコンクリート製壁の内部に埋設されるコンクリート型枠セパレーターと、前記セパレーターの先端部が螺入される胴体部及びこの胴体部の端部から外側方向に突出する頭部を含む金属製棒状体と、前記頭部が挿通可能な挿通孔と壁面に当接される板状部分を有する壁面当接体と、前記頭部に螺入され固定されるナットとを含む金属製引っ掛け用具、並びにこれを利用した有体物引っ掛け方法、壁面緑化システム、及び方法である。【選択図】    図１Ａ
2016042815.tif 000002
【特許請求の範囲】
【請求項１】
建物壁面に突設される金属製引っ掛け用具であって、
その本体部が建物のコンクリート製壁の内部に埋設（埋め殺し）され、その先端部が、壁面から内部方向に窪むように形成された凹部の壁内部側（奥側）の面（以下「奥側面」という）から、前記奥側面から外側方向に向かって約１０ｍｍ以上延びた位置であって壁面に略平行な仮想平面よりも内部側の位置まで突出し、前記先端部には雄ネジが形成されている、コンクリート型枠セパレーターと、
前記奥側面と前記仮想平面との間の距離と略一致する長さを有する胴体部であって前記セパレーターの先端部の雄ネジを螺入させる雌ネジ穴を有する胴体部と、前記胴体部の前記仮想平面側の端部から前記壁から離れる方向に突出する全長が約３０ｍｍ以上の、前記胴体部よりも細長い頭部であって、その外周面中のナット等による締結用部分に雄ネジが形成されている頭部とが一体的に形成されて成る金属製棒状体と、
を含む、建物壁面に突設される金属製引っ掛け用具。
【請求項２】
前記凹部の周囲の壁面に対向又は当接する板状部分と、前記板状部分の略中央に形成され前記金属製棒状体の頭部が挿通可能な挿通孔とを有する金属製の壁面当接体と、
前記壁面当接体が前記金属製棒状体の胴体部の端面及び壁面に対して押圧された状態で固定されるように、前記金属製棒状体の頭部に対して前記壁面当接体の方向に螺合され締結されるナットと、
をさらに含む、請求項１記載の建物壁面に突設される金属製引っ掛け用具。
【請求項３】
前記壁面当接体は、前記板状部分に対して前記壁から離れる方向に突出する鉤部を有している、請求項２に記載の建物壁面に突設される金属製引っ掛け用具。
【請求項４】
前記壁面当接体の前記板状部分に形成された挿通孔は、その平面が重力方向に対して斜め方向に延びる長穴状である、請求項３に記載の建物壁面に突設される金属製引っ掛け用具。
【請求項５】
請求項３に記載の金属製引っ掛け用具の前記壁面当接体の鉤部であって、建物の外壁から離れる方向に突出する鉤部と、
内部に植物の根が生育可能な材料が収容される箱状体であって、前記建物の外壁から離れる方向に突出する鉤部に載置又は係止可能な部材を含む箱状体と、
を備えた、請求項３に記載の金属製引っ掛け用具を使用した壁面緑化システム。
【請求項６】
前記箱状体の外周部には、前記前記建物の外壁から離れる方向に突出する鉤部に載置又は係止可能な部材として、前記鉤部を外部から自らの内部に挿通可能な孔又は開口部が複数形成されており、前記鉤部は、前記箱状体の複数の孔又は開口部の縁部を載置又は係止可能な形状に形成されている、請求項５に記載の壁面緑化システム。
【請求項７】
前記金属製引っ掛け用具の金属製棒状体の頭部が挿通可能とされた、前記壁面当接体の前記板状部分に形成された挿通孔は、その平面が重力方向に対して斜め方向に延びる長穴状に形成されており、前記金属製棒状体の頭部を、前記壁面当接体の長穴状の挿通孔に挿通した状態で、前記挿通孔が長穴状に延びる斜め方向に沿って移動させることより、前記金属製棒状体の鉤部の位置を外壁面に対して調整可能とした、請求項５又は６に記載の壁面緑化システム。
【請求項８】
建物の壁面に有体物を引っ掛ける方法であって、
その本体部が建物のコンクリート製壁の内部に埋設（埋め殺し）され、その先端部が、壁面から内部方向に窪むように形成された凹部の壁内部側（奥側）の面（以下「奥側面」という）から、前記奥側面から外側方向に向かって約１０ｍｍ以上延びた位置であって壁面に略平行な仮想平面よりも内部側の位置まで突出し、前記先端部には雄ネジが形成されている、コンクリート型枠セパレーターに対して、前記奥側面と前記仮想平面との間の距離と略一致する長さを有する胴体部であって前記セパレーターの先端部の雄ネジを螺入させる雌ネジ穴を有する胴体部と、前記胴体部の前記仮想平面側の端部から前記壁から離れる方向に突出する全長が約３０ｍｍ以上の、前記胴体部よりも細長い頭部であって、その外周面中のナット等による締結用部分に雄ネジが形成されている頭部とが一体的に形成されて成る金属製棒状体を用意するステップ、
前記コンクリート型枠セパレーターの先端部に対して、前記金属製棒状体の胴体部の雌ネジ穴を螺合して締結するステップ、
前記金属製棒状体の頭部の前記仮想平面から外側に突出した部分を、「板状部分と、前記板状部分の略中央に形成された挿通孔とを含む金属製の壁面当接体」の前記挿通孔に挿通させ、前記板状部分を壁面に当接又は対向させるステップ、及び前記壁面当接体が前記壁面に当接又は対向された状態で固定されるように、前記壁面当接体及び前記金属製棒状体の前記頭部に対してナットを前記壁面方向に螺合し締結するステップを含む、建物壁面に有体物を引っ掛ける方法。
【請求項９】
建物の外壁面に緑化パネルを取り付ける方法であって、
その本体部が建物のコンクリート製壁の内部に埋設（埋め殺し）され、その先端部が、外壁面から内部方向に窪むように形成された凹部の壁内部側（奥側）の面（以下「奥側面」という）から、前記奥側面から外側方向に向かって約１０ｍｍ以上延びた位置であって外壁面に略平行な仮想平面よりも内部側の位置まで突出し、前記先端部には雄ネジが形成されている、コンクリート型枠セパレーターに対して、前記奥側面と前記仮想平面との間の距離と略一致する長さを有する胴体部であって前記セパレーターの先端部の雄ネジを螺入させる雌ネジ穴を有する胴体部と、前記胴体部の前記仮想平面側の端部から前記外壁から離れる方向に突出する全長が約３０ｍｍ以上の、前記胴体部よりも細長い頭部であって、その外周面中のナット等による締結用部分に雄ネジが形成されている頭部とが一体的に形成されて成る金属製棒状体を用意するステップ、
前記コンクリート型枠セパレーターの先端部に対して、前記金属製棒状体の胴体部の雌ネジ穴を螺合して締結するステップ、
前記金属製棒状体の頭部の前記仮想平面から外側に突出した部分を、「板状部分と、前記板状部分の略中央に形成された挿通孔と、前記板状部分から外側方向に突出する鉤部とを含む金属製の壁面当接体」の前記挿通孔に挿通させ、前記壁面当接体の板状部分を外壁面に当接又は対向させるステップ、
前記壁面当接体が前記外壁面に当接又は対向された状態で固定されるように、前記金属製棒状体の頭部に対してナットを前記外壁面方向に螺入し締結するステップ、及び
「内部に植物の根が生育可能な材料が収容される箱状体であって、その外周側に複数の孔又は開口部の縁部を有する箱状体」の前記縁部を、前記外壁面に固定された前記壁面当接体の鉤部に、載置又は係止するステップ、
を含む、建物外壁面に緑化パネルを取り付ける方法。
【発明の詳細な説明】
【技術分野】
【０００１】
本発明は、建物の壁面に設置される金属製引っ掛け用具、建物の壁面に有体物を引っ掛ける方法、並びに建物の外壁面緑化のためのシステム及び方法に関する。
【背景技術】
【０００２】
従来より、ビルなどの建物の意匠性の向上やヒートアイランド現象の抑制などの観点から建物の外壁面に緑化パネルを配置する壁面緑化システムが提案、施工されている。例えば図１１は特許文献１に開示された従来の壁面緑化システムを示す斜視図である。
【０００３】
この図１１に示す緑化パネルは、図示しない外壁面に接するように配置したＨ形鋼を矩形に組んで枠を立設し、その枠に上下面に複数の通水孔をもつ鋼製の支持桁３１を複数段重ねて水平に取り付け、各支持桁３１に直方体状の各植栽容器３２を図示のように横方向に並べることにより構成されている。前記各植栽容器３２は、通水孔を有する横板により内部が３段に仕切られている。前記各植栽容器３２は、上面、両側面及び下面にそれぞれ通水孔３３ａを有しており上面が水受けになった箱状体３３を、３つの植栽孔３４ａとそれらの周りの複数の通気孔３４ｂとをもつ蓋３４で覆って成るものである。そして、上記各植栽容器３２には、土壌を充填した後、緑化用の植物を植え付ける。その後、水を最上段の支持桁３１の上面の複数給水孔３１ａから供給し、この供給した水を、上記各通水孔を経て下方の植栽容器に順次流下させ、全植栽容器３２に給水する。これにより、上記各植栽容器３２中の土壌に植え付けられた植物が生育される。
【先行技術文献】
【特許文献】
【０００４】
【特許文献１】特開２００２−７７号公報
【発明の概要】
【発明が解決しようとする課題】
【０００５】
図１１に示す従来の壁面緑化システムにおいては、各緑化パネルの外壁面への取付に際しては、まずＨ形鋼を矩形に組んだ枠を外壁面と対向するように立設し、その後、前記枠に鋼製の支持桁３１を複数段重ねて水平に取り付け、さらに前記各支持桁３１に各植栽容器３２を横方向に並べるなどの作業が必要であるが、そのようなＨ形鋼や支持桁などの調達及びその設置等の作業のためには極めて多額の材料及び作業コストが発生してしまう。
【０００６】
このように、従来の壁面緑化システムにおいては、緑化パネルが落下しないように建物外壁面に強固に取り付ける等の必要から極めて多額の材料及び作業コストが掛かってしまうという問題があった。また上記は緑化パネルを外壁面に引っ掛ける場合であるが、従来技術においては、他の有体物を壁面（内壁面をも含む）に引っ掛ける場合も同様の問題があった。
【０００７】
本発明はこのような従来技術の問題点に着目して為されたものであって、緑化パネルの建物外壁面への取り付け等のための材料コスト及び作業コストを従来と比較して大幅に低減しながら緑化パネルを外壁面に容易に且つ安定的に取り付けることができる壁面緑化システム及び方法を提供することを目的とする。また、本発明は、上記のような外壁面緑化の目的だけではなく、より一般的に、建物の壁面（内壁面をも含む）に所望の有体物を低コストで効率的且つ安定的に引っ掛けることを可能にする金属製引っ掛け用具及び壁面への有体物引っ掛け方法を提供することをも目的とする。
【課題を解決するための手段】
【０００８】
以上のような課題を解決するための本発明による建物壁面に突設される金属製引っ掛け用具は、その本体部が建物のコンクリート製壁の内部に埋設（埋め殺し）され、その先端部が、壁面から内部方向に窪むように形成された凹部の壁内部側（奥側）の面（以下「奥側面」という）から、前記奥側面から外側方向に向かって約１０ｍｍ以上延びた位置であって壁面に略平行な仮想平面よりも内部側の位置まで突出し、前記先端部には雄ネジが形成されている、コンクリート型枠セパレーターと、前記奥側面と前記仮想平面との間の距離と略一致する長さを有する胴体部であって前記セパレーターの先端部の雄ネジと螺合する雌ネジ穴を有する胴体部と、前記胴体部の前記仮想平面側の端部から前記壁から離れる方向に突出する全長が約３０ｍｍ以上の、前記胴体部よりも細長い頭部であって、その外周面中のナット等による締結用の部分に雄ネジが形成されている頭部とが一体的に形成されて成る金属製棒状体と、を含むものである。
【０００９】
また、本発明による建物壁面に突設される金属製引っ掛け用具においては、前記凹部の周囲の壁面に対向又は当接する板状部分と、前記板状部分の略中央に形成され前記金属製棒状体の頭部が挿通可能な挿通孔とを有する金属製の壁面当接体と、前記壁面当接体が前記金属製棒状体の胴体部の端面及び壁面に対して押圧された状態で固定されるように、前記金属製棒状体の頭部に対して前記壁面当接体の方向に螺合され締結されるナットと、をさらに含むようにしてもよい。
【００１０】
また、本発明による建物壁面に突設される金属製引っ掛け用具においては、前記壁面当接体は、前記板状部分に対して前記壁から離れる方向に突出する鉤部を有するようにしてもよい。
【００１１】
また、本発明による建物壁面に突設される金属製引っ掛け用具においては、前記壁面当接体の前記板状部分に形成された挿通孔は、その平面が重力方向に対して斜め方向に延びる長穴状に形成していてもよい。
【００１２】
また、本発明による壁面緑化システムは、建物の外壁から突設された金属製引っ掛け用具と、内部に植物の根が生育可能な材料が収容される箱状体であって、前記金属製引っ掛け用具の前記壁面当接体の鉤部に載置又は係止可能な部材を含む箱状体と、を備えたものである。
【００１３】
また、本発明による壁面緑化システムにおいては、前記箱状体の外周部には、前記金属製引っ掛け用具を構成する前記壁面当接体の鉤部に載置又は係止可能な部材として、前記鉤部を外部から自らの内部に挿通可能な孔又は開口部が複数形成されており、前記鉤部は、前記箱状体の複数の孔又は開口部の縁部を載置又は係止可能な形状に形成されるようにしてもよい。
【００１４】
また、本発明による壁面緑化システムにおいては、前記金属製引っ掛け用具を構成する前記金属製棒状体の頭部が挿通可能とされた前記壁面当接体の板状部分の挿通孔は、その平面が重力方向に対して斜め方向に延びる長穴状に形成されており、前記金属製棒状体の頭部を、前記壁面当接体の長穴状の挿通孔に挿通した状態で、前記挿通孔が長穴状に延びる斜め方向に沿って移動させることより、前記金属製棒状体の鉤部の位置を外壁面に対して調整（位置決め）可能とされるようにしてもよい。
【００１５】
また、本発明による建物の壁面に有体物を引っ掛ける方法は、その本体部が建物のコンクリート製壁の内部に埋設（埋め殺し）され、その先端部が、壁面から内部方向に窪むように形成された凹部の壁内部側（奥側）の面（以下「奥側面」という）から、前記奥側面から外側方向に向かって約１０ｍｍ以上延びた位置であって壁面に略平行な仮想平面よりも内部側の位置まで突出し、前記先端部には雄ネジが形成されている、コンクリート型枠セパレーターに対して、前記奥側面と前記仮想平面との間の距離と略一致する長さを有する胴体部であって前記セパレーターの先端部の雄ネジを螺入させる雌ネジ穴を有する胴体部と、前記胴体部の前記仮想平面側の端部から前記壁から離れる方向に突出する全長が約３０ｍｍ以上の、前記胴体部よりも細長い頭部であって、その外周面中のナット等による締結用の部分に雄ネジが形成されている頭部とが一体的に形成されて成る金属製棒状体を用意するステップ、前記コンクリート型枠セパレーターの先端部に対して、前記金属製棒状体の胴体部の雌ネジ穴を螺合して締結するステップ、前記金属製棒状体の頭部の前記仮想平面から外側に突出した部分を、「板状部分と、前記板状部分の略中央に形成された挿通孔とを含む金属製の壁面当接体」の前記挿通孔に挿通させ、前記板状部分を壁面に当接又は対向させるステップ、及び前記壁面当接体が前記壁面に当接又は対向された状態で固定されるように、前記壁面当接体及び前記金属製棒状体の前記頭部に対してナットを前記壁面方向に螺合し締結するステップ、を含むものである。
【００１６】
さらに本発明による建物の外壁面に緑化パネルを取り付ける方法は、その本体部が建物のコンクリート製壁の内部に埋設（埋め殺し）され、その先端部が、外壁面から内部方向に窪むように形成された凹部の壁内部側（奥側）の面（以下「奥側面」という）から、前記奥側面から外側方向に向かって約１０ｍｍ以上延びた位置であって外壁面に略平行な仮想平面よりも内部側の位置まで突出し、前記先端部には雄ネジが形成されている、コンクリート型枠セパレーターに対して、前記奥側面と前記仮想平面との間の距離と略一致する長さを有する胴体部であって前記セパレーターの先端部の雄ネジを螺入させる雌ネジ穴を有する胴体部と、前記胴体部の前記仮想平面側の端部から前記壁から離れる方向に突出する全長が約３０ｍｍ以上の、前記胴体部よりも細長い頭部であって、その外周面中のナット等による締結用部分に雄ネジが形成されている頭部とが一体的に形成されて成る金属製棒状体を用意するステップ、前記コンクリート型枠セパレーターの先端部に対して、前記金属製棒状体の胴体部の雌ネジ穴を螺合して締結するステップ、前記金属製棒状体の頭部の前記仮想平面から外側に突出した部分を、「板状部分と、前記板状部分の略中央に形成された挿通孔と、前記板状部分から外側方向に突出する鉤部とを含む金属製の壁面当接体」の前記挿通孔に挿通させ、前記壁面当接体の板状部分を外壁面に当接又は対向させるステップ、前記壁面当接体が前記外壁面に当接又は対向された状態で固定されるように、前記金属製棒状体の頭部に対してナットを前記外壁面方向に螺入し締結するステップ、及び「内部に植物の根が生育可能な材料が収容される箱状体であって、その外周側に複数の孔又は開口部の縁部を有する箱状体」の前記縁部を、前記外壁面に固定された前記壁面当接体の鉤部に、載置又は係止するステップ、を含むものである。
【発明の効果】
【００１７】
本発明においては、コンクリート製の壁の内部に埋設（埋め殺し）されたコンクリート型枠セパレーターの先端部であって壁面の凹部内で外側方向に突出する先端部（外周面に雄ネジが形成されている）に対して、金属製棒状体の胴体部（雌ネジ穴が形成されている）を螺合して固定し、これにより、前記金属製棒状体の前記胴体部から外側方向に突出する細長い頭部（前記胴体部と一体形成されている）を、壁面から外側方向に突設させるようにしている。よって、本発明によれば、コンクリート製壁の内部に埋設（埋め殺し）されたセパレーターのコンクリート壁から露出した端部に強固に締結された状態で壁面から安定的に突出する金属製棒状体（有体物を、直接に又は他の部材を介して、引っ掛けるために利用するのに適した棒状体）を、低コストで且つ効率的に、壁面に設置できるようになる。また、本発明によれば、前記金属製棒状体の前記セパレーター先端部への螺合・締結を解除させるという単純な作業を行うだけで（コンクリート壁を毀損することなく）、前記の壁面から突出する金属製棒状体を取り外し、壁面を、突出物（金属製棒状体）がない通常の壁面の状態に復帰させることができる。
【００１８】
また本発明において、さらに、前記金属製棒状体の前記胴体部から外側方向に突出する頭部（前記胴体部と一体形成されている）を前記壁面当接体の挿通孔に挿通させ、前記壁面当接体の板状部分（前記挿通孔の周辺部分）を壁面に当接又は対向させ、さらに、前記壁面当接体が壁面に押圧されながら固定されるように、前記金属製棒状体の頭部に対してナットを螺合し締結したときは、前記金属製棒状体が、前記セパレーターだけでなく前記の壁面とこれに押圧固定された壁面当接体によっても支持されることになる結果、前記金属製棒状体を前記壁面に対してより強固に且つ安定的に支持できるようになる。また、本発明によれば、前記ナットを取り外して、前記壁面当接体を取り外し、さらに前記金属製棒状体を前記セパレーター先端部から取り外すという単純な作業を行うだけで（コンクリート壁を毀損することなく）、前記建物壁面から突出する金属製棒状体を取り外して、壁面を、突出物（金属製棒状体）がない通常の壁面の状態に復帰させることができる。
【００１９】
また、本発明において、前記壁面当接体に外側方向に突出する鉤部を備えるようにしたときは、前記壁面当接体の鉤部に有体物を載置又は係止するだけで、有体物の壁面への取り付けを行えるようになる。
【００２０】
また、本発明において、前記壁面当接体の前記板状部分に形成された挿通孔を、重力方向に対して斜め方向に延びる長穴状に形成したときは、前記金属製棒状体の頭部に対して前記壁面当接体の挿通孔を前記長穴に沿って移動させるだけで、容易に、前記壁面当接体の鉤部の前記頭部すなわち壁面に対する位置を、調整（前記鉤部の壁面に対する位置決め）できるようになる。
【００２１】
また、本発明に係る壁面緑化システムにおいて、「内部に植物の根が生育可能な材料が収容される箱状体であって、前記金属製引っ掛け用具の前記壁面当接体の鉤部に載置又は係止可能な部材を含む箱状体」を使用するときは、前記箱状体の前記「鉤部に載置又は係止可能な部材」（例えば、前記箱状体の外周部を構成する複数の孔又は開口部の縁部）を前記鉤部に載置又は係止するという短時間に行える簡単な作業だけで、容易に、緑化パネルを外壁面に取り付けることができる。また、本発明によれば、前記ナットを前記頭部から取り外し、前記壁面当接体を前記頭部から取り外し、さらに前記金属製棒状体を前記セパレーターの先端部から取り外すという単純な作業を行うだけで（コンクリート壁を毀損することなく）、前記建物壁面から突出する金属製棒状体を取り外して、壁面を、突出物（金属製棒状体）がない通常の壁面の状態に復帰させることができる。
【００２２】
また、本発明に係る壁面緑化システムにおいて、前記壁面当接体の前記板状部分に形成された挿通孔を、重力方向に対して斜め方向に延びる長穴状に形成したときは、前記挿通孔を前記金属製棒状体の頭部に挿通させた状態で前記長穴状に沿って移動させるだけで、前記金属製棒状体の鉤部の外壁面に対する位置調整（位置決め）が容易にできるようになる。
【００２３】
また、本発明による建物の壁面に有体物を引っ掛ける方法によれば、コンクリート製壁の内部に埋設されたコンクリート型枠セパレーターを基部として強固に且つ安定的に壁面から突出する金属製棒状体（有体物を、直接に又は他の部材を介して、引っ掛けるために利用するのに適した棒状体）を、低コストで且つ極めて容易に、壁面に設置できるようになり、さらに、前記金属製棒状体が前記の壁面に対して押圧固定された壁面当接体及びナットによっても支持されるので、前記金属製棒状体を前記壁面に対してより強固に且つ安定的に支持できるようになる。
【００２４】
さらに本発明による建物の外壁面に緑化パネルを取り付ける方法においては、コンクリート製壁の内部に埋設されたコンクリート型枠セパレーターを基部として強固に且つ安定的に外壁面から突出する金属製棒状体であって有体物を引っ掛けるために利用可能な金属製棒状体を、低コストで且つ極めて容易に、外壁面に設置できるようになり、さらに、前記金属製棒状体が前記の外壁面に対して押圧固定された壁面当接体及びナットによっても支持されるので、前記金属製棒状体を前記外壁面に対してより強固に且つ安定的に支持できるようになる。よって、本発明によれば、前記のように外壁面に対してより強固に且つ安定的に支持された金属製棒状体の鉤部に「緑化パネルを構成する箱状体の複数の孔又は開口部の縁部」を載置又は係止するという短時間内の簡単な作業を行うだけで、緑化パネルを外壁面に容易に取り付けられるようになる。
【図面の簡単な説明】
【００２５】
【図１Ａ】本発明の実施形態１に係る引っ掛け用具に使用される金属製棒状体などを説明するための図で、（ａ）は従来のコンクリート打設用の型枠固定用セパレーターを示す図、（ｂ）はコンクリート壁内に埋設（埋め殺し）されたセパレーターの端部（露出部分）に金属製棒状体を取り付ける様子を示す図、（ｃ）は前記金属製棒状体を示す側面図であって一部（図中の符号Ｃで示す部分）を断面とする側面図である。
【図１Ｂ】本実施形態１に係る引っ掛け用具に使用される金属製棒状体とこれと組み合わせる壁面当接体及びナットなどを説明するための図である。
【図１Ｃ】本実施形態１に係る引っ掛け用具に使用される金属製棒状体を説明するための斜視図である。
【図２】本発明の本実施形態２を構成する箱状体を示す斜視図である。
【図３】本実施形態２を構成する箱状体の正面図である
【図４】本実施形態２を構成する取付金具（壁面当接体）を示す図で、（ａ）は斜視図、（ｂ）は正面図である。
【図５】本実施形態２において取付金具（壁面当接体）の鉤部の外壁面（又は金属製棒状体の頭部）に対する位置を調整する（位置決めする）方法を説明するための図である。
【図６】本実施形態２において緑化パネル（箱状体）を取付金具（壁面当接体）に取り付ける動作を説明するための図である。
【図７】本実施形態２において緑化パネル（箱状体）の建物外壁面への取付けが行われた後の状態を示す斜視図である。
【図８】本実施形態２において緑化パネル（箱状体）の建物外壁面への取付けが行われた後の状態を示す斜視図である。
【図９】本実施形態２において緑化パネル（箱状体）の建物外壁面への取付けが行われた後の状態を示す斜視図である。
【図１０】本実施形態２において緑化パネル（箱状体）の建物外壁面への取付けが行われた後の状態を示す斜視図である。
【図１１】従来の壁面緑化システムを示す斜視図である。
【発明を実施するための形態】
【００２６】
［実施形態１］
以下、本発明の実施形態１を図１Ａないし１Ｃを用いて説明する。図１Ａ及び図１Ｂは、本発明の実施形態１において壁面（内壁面をも含む）から「有体物を、直接に又は他の部材を介して、引っ掛けるために利用するのに適した棒状体」を突設するための構成及び動作を説明するための図である。
【００２７】
図１Ａ（ａ）は従来から使用されているコンクリート打設用の型枠固定用セパレーターとその使用方法を説明する図である。図１Ａ（ａ）において、１はコンクリート打設時に各堰板４の間隔を確保するために使用される、従来より公知のセパレーターと同一形状の金属製セパレーター（但し、従来例と異なって、コンクリートとの接着性の良好な素材によりコーティングする等の防錆及び防水処理が外表面に施されたセパレーター）、１ａ，１ｂは前記セパレーター１の左右両端部（外周部にはそれぞれ雄ネジが形成されている）、２ａ，２ｂは前記セパレーター１の雄ネジが形成された端部１ａ，１ｂがそれぞれ螺合（螺入）されるネジ孔を備えたプラスチックコーン（Ｐコン）、３は前記各プラスチックコーン２ａ，２ｂの端部よりも数ｍｍ〜数ｃｍだけ壁内部側（建物内部側）にそれぞれ配置される止水盤、４は前記各プラスチックコーン２ａ，２ｂの外側面にそれぞれ配置される堰板、５は雄ネジが形成された棒状の端部５ａを介して前記プラスチックコーン２ａ，２ｂとそれぞれ固定される型枠締付けボルト（図示しない支保工と接続されて各堰板４を前記セパレーター１方向に押圧しながら支持するもの）である。
【００２８】
このような従来のセパレーター１を使用するときは、従来は、コンクリート打設後は、セパレーター１及び止水盤３はコンクリート中に埋め殺しにされるがプラスチックコーン２ａ，２ｂは取り除かれていた（取り除いた後の凹状空洞部にはモルタル等が埋められていた）。なお、従来は、前述のような本体部がコンクリート中に埋設（埋め殺し）されたセパレーター１を利用して、建物の外壁面から例えば棒状又は鉤状の支持部材を突設することは、全く想定されていなかった。
【００２９】
次に、図１Ａ（ｂ）、同（ｃ）及び図１Ｂを参照して本実施形態１に係る引っ掛け用具を説明する。本実施形態１において、図１Ａ（ａ）に関して前述した従来のコンクリート型枠セパレーターと同じ形状のセパレーター１を使用して、前記各堰板４間の空間（図１Ａの符号Ａ参照。）内にコンクリートを打設し、その後、堰板４、及びＰコン２ａ，２ｂを取り除くと、図１Ａ（ｂ）に示すようなコンクリート壁１０が形成される。このコンクリート壁１０には、前記プラスチックコーン２ａ，２ｂを取り除いた後の図示左右の各部分に、それぞれ、凹状の各空洞部（凹部）４１が形成される。
【００３０】
これらの各空洞部４１内では、それぞれ、前記セパレーター１の図示左右の各端部１ａ，１ｂが、前記各空洞部４１内の内部側（奥側）の奥側平面４１ａから、外側方向に突出している。前記セパレーター１の各端部１ａ，１ｂは、その先端が、前記奥側平面４１ａと前記空洞部４１の外壁平面と平行な仮想平面４１ｂとの間の距離（図１Ａ（ｂ）の符号ａ参照）よりも短い距離、例えば約１０〜１５ｍｍ（より望ましくは約１２．５ｍｍ）だけ、前記奥側平面４１ａから突出するように、形成されている（図１（ｃ）も参照。従来のセパレーターの端部が前記各凹部４１内に突出するときの状態と同じである）。すなわち、前記セパレーター１の各端部１ａ，１ｂの先端は、従来と同様に、前記奥側平面４１ａから、前記奥側平面４１ａと前記各空洞部４１の外側の壁面１０ａと平行な仮想平面４１ｂとの中間の位置まで、突出している。
【００３１】
前記各空洞部４１の中、図１Ａの図示左側の内壁面側の空洞部４１は、従来と同様にモルタル（図１Ｂ（ａ）の符号４３を参照）で埋められる。他方、図１Ａの図示右側の外壁面側の空洞部４１内では、図１Ａ（ｂ）の矢印Ｂで示すように、前記奥側平面４１ａから突出するセパレーター１の端部１ｂに、図１Ａ（ｃ）に示すような金属製棒状体１１の胴体部１１ａが締結、装着される。
【００３２】
ここで、前記金属製棒状体１１の構成を、図１Ａ（ｃ）及び図１Ｃを参照して説明する。図１Ａ（ｃ）は金属製棒状体１１の構成を示す側面図であって一部（図中の符号Ｃで示す部分）を断面とする側面図、図１Ｃ（ａ）〜（ｃ）は金属製棒状体１１を示す斜視図である。図１Ａ（ｃ）及び図１Ｃにおいて、１１ａは前記セパレーター１の図示右側端部１ｂに螺合される胴体部、１１ｂは前記胴体部１１ａの図示右側の端部の端面１１ａｃから前記セパレーター１から離れる方向に突出するように前記胴体部１１ａと一体的に形成される細長い頭部である。
【００３３】
前記胴体部１１ａには、前記セパレーター端部１ｂ側と対向する端面から自らの内部方向に延びるネジ穴１１ａａが形成されている。前記胴体部１１ａは軸方向と直交する方向の外周断面が円形であるが、前記胴体部１１ａ中の前記頭部１１ｂに近い部分（軸方向が数ｍｍ程度の部分）１１ａｂだけは、その外周断面が、前記胴体部１１ａの締結用工具による締結が容易となるように、六角形状に形成されている。
【００３４】
他方、前記頭部１１ｂの外周面には、雄ネジが形成されている。なお、前記頭部１１ｂの外周面の全体の中で前記雄ネジが形成される部分は、ナット（図１Ｂ（ｂ）の符号２７参照）等による締結のために使用される部分だけであってもよい。特に、前記頭部１１ｂの外周面中の、前記胴体部１１ａの端面１１ｂａとの境界（前記胴体部１１ａの図示右側の端面）から約５ｍｍまでの範囲内の境界近傍部分１１ａｃには、後述のように壁面当接体の板状部分（図１Ｂ（ｂ）の符号２１ａ参照）が配置される（よって前記ナットは配置されない）ので、前記境界近傍部分１１ａｃには、雄ネジが形成されていなくてもよい。
【００３５】
なお、図１Ａ（ｃ）において、前記胴体部１１ａの軸方向の長さａ（前記奥側平面４１ａと、前記空洞部４１の外壁平面４１ｂに平行な仮想平面４１ｂとの間の距離と一致する）は例えば２５ｍｍ、前記胴体部１１ａの軸方向と直交する方向の長さ（直径）は例えば１５ｍｍ、前記頭部１１ｂの軸方向の長さｂは例えば４０ｍｍ、前記頭部１１ｂの軸方向と直交する方向の長さ（直径）は例えば９ｍｍ、前記頭部１１ｂの外周面中の後述の壁面当接体の板状部分が配置される部分（前述のようにネジ穴が形成されない、前記胴体部１１ａの図示右側の端面すなわち前記胴体部１１ａとの境界の近傍部分）の軸方向の長さcは例えば５ｍｍである。
【００３６】
図１Ｂ（ａ）は、前述のような金属製棒状体１１の胴体部１１ａを、前記セパレーター１の端部１ｂに螺合し締結した状態を示している。このとき、前述のように、前記胴体部１１ａの軸方向の長さａが、「前記奥側平面４１ａと前記空洞部４１の外壁平面４１ｂに平行な仮想平面４１ｂとの間の距離」と一致している結果、図１Ｂ（ａ）に示すように、前記胴体部１１ａの外壁側の端面１１ａｃは、前記空洞部４１の外壁面１０ａと平行な仮想平面４１ｂと同一平面となるように配置される。
【００３７】
次に、本実施形態１において使用する取付金具（壁面当接体）２１の構成を図４，５を参照して説明する。図４において、２１は例えば鉄製で表面を防水・防錆処理のため亜鉛メッキされている取付金具（壁面当接体）、２１ａは前記取付金具（壁面当接体）２１の背面部（板状部分。建物外壁面に対向又は当接する平板状部分）、２１ｂは前記背面部（板状部分）２１ａの左右の側面部、２２は前記背面部（板状部分）２１ａの略中央部に形成された図示斜め方向に延びる（例えば重力方向に対して約３０〜６０度、例えば約４５度だけ斜め方向に延びる）挿通孔（長穴）、２３，２４は前記両側面部２１ｂの前方側（外壁面から離れる側）の各端部における上方及び下方の各位置にそれぞれ形成された鉤部（鉤状切欠部）である。前記鉤部２３，２４は、それぞれ、例えば緑化パネルなどの有体物の一部（望ましくは水平方向に延びる棒状の物体）を受け入れる（挿通させる）挿通部２３ａ，２４ａと、前記有体物の一部を載置し係止する載置部２３ｂ，２４ｂとを含んでいる。
【００３８】
本実施形態１では、図１Ｂ（ｂ）に示すように、前記金属製棒状体１１の頭部１１ｂに対して、前記取付金具（壁面当接体）２１の挿通孔（長穴）２２を挿通させ、前記頭部１１ｂを前記挿通孔（長穴）２２の長手方向に沿って相対的に移動させて位置調整した後、前記取付金具（壁面当接体）２１の背面部（板状部分）２１ａを外壁面１０ａ及び前記胴体部１１ａの端面１１ａｃに当接させる（前記背面部（板状部分）２１ａは、摩擦抵抗を高めるために、ゴム製シートを介して前記外壁面１０ａ及び端面１１ａｃに押圧、対向させるようにしてもよい）。
【００３９】
次に、本実施形態１では、図１Ｂ（ｂ）及び（ｃ）、及び図５に示すように、ナット２７を、ワッシャー２７ａを介して前記金属製棒状体１１の頭部１１ｂに螺合し、前記金属製棒状体１１を前記外壁面１０ａに押圧した状態で締結する。これにより、前記金属製棒状体１１は、前記セパレーター１によって支持されるだけでなく、前記取付金具（壁面当接体）２１及び外壁１０（前記取付金具（壁面当接体）２１と外壁１０との間の摩擦力）によっても、安定的に支持されるようになる（なお、前記取付金具（壁面当接体）２１と外壁１０との間の摩擦力を高めるため、前記取付金具（壁面当接体）２１と外壁１０との間にゴム製シート（後述の図７〜９参照）を介在させることが望ましい）。
【００４０】
以上により、本実施形態１による金属製引っ掛け具のコンクリート外壁１０への設置が完了する。本実施形態１においては、前述のような外壁面１０ａから突出する前記金属製棒状体１１の頭部１１ｂを、有体物を引っ掛けるために利用するか、又は有体物を引っ掛ける鉤部などの部材を有する取付金具（壁面当接体。図１Ｂ（ｂ）及び図５の符号２１参照）を外壁面に取り付けるために使用することができる。
【００４１】
よって、本実施形態１によれば、コンクリート製外壁の内部に埋設（埋め殺し）されたセパレーター１の空洞部４１内でコンクリート壁から露出した端部１ｂに強固に締結された状態で外壁面１０ａから安定的に突出する金属製棒状体１１を、低コストで且つ極めて容易に、外壁面１０ａに設置できるようになる（なお、前記金属製棒状体１１は、有体物を引っ掛けるために利用するか、又は有体物を引っ掛ける鉤部２３，２４などの部材を有する取付金具（壁面当接体）２１（図５など参照）を外壁面に取り付けるために使用するものである）。また、本実施形態１によれば、前記金属製棒状体１１の前記セパレーターの端部１ｂへの螺合を取り外すという単純な作業を行うだけで、前記外壁面１０ａから突出する金属製棒状体１１を取り外し、外壁面１０ａを、突出物（金属製棒状体１１）がない通常の外壁面の状態に復帰させることができる。
【００４２】
また本実施形態１においては、さらに、前記金属製棒状体１１の前記胴体部１１ａから外側方向に突出する頭部４ｂを前記取付金具（壁面当接体）２１の挿通孔（長穴）２２に挿通させ、前記取付金具（壁面当接体）２１の背面部（板状部分２１ａ。前記挿通孔２２の周辺部分）を外壁面１０ａに当接させ、且つ前記取付金具（壁面当接体）２１が前記壁面にナットにより押圧されるように、前記金属製棒状体１１の前記雄ネジが形成された頭部１１ｂに対してナット２７を螺入し固定している。よって、本実施形態１によれば、前記金属製棒状体１１は、前記セパレーター１によってだけでなく、外壁面１０ａに押圧固定された取付金具（壁面当接体）２１及びナット２７によっても支持されるので、前記金属製棒状体１１を、外壁面１０ａに対してより強固に且つ安定的に支持できるようになる。また、本実施形態１によれば、前記ナット２７を取り外して、前記取付金具（壁面当接体）２１を取り外し、さらに前記金属製棒状体１１を前記セパレーターの端部１ｂから取り外すという単純な作業を行うだけで（コンクリート壁を毀損することなく）、外壁面１０ａを、突出物（金属製棒状体１１の頭部１１ｂ）がない通常の壁面の状態に復帰させることができる。
【００４３】
また、本実施形態１においては、前記取付金具（壁面当接体）２１に外側方向に突出する鉤部２３，２４を形成するようにしているので、前記取付金具（壁面当接体）２１の鉤部２３，２４に有体物を載置又は係止するだけで、有体物の外壁面１０ａへの取り付けを行えるようになる。
【００４４】
また、本実施形態１においては、前記取付金具（壁面当接体）２１の前記背面部（板状部分）２１ａに形成された挿通孔（長穴）２２を、重力方向に対して斜め方向に延びる長穴状に形成しているので、前記取付金具（壁面当接体）２１の挿通孔２２に挿通された金属製棒状体１１の頭部１１ｂを前記挿通孔２２の長穴形状に沿って相対的に移動させるだけで、容易に、前記取付金具（壁面当接体）２１の鉤部２３，２４の外壁面１０ａに対する位置を調整である（前記鉤部２３，２４を外壁面１０ａに対する位置決めできる）ようになる。
【００４５】
［実施形態２］
次に、本発明の実施形態２に係る壁面緑化システム及び方法を図２，３を参照して説明する。なお、本実施形態２においても前記実施形態１と同様の金属製引っ掛け用具を外壁に設置しているが、この点は、前記実施形態１で説明したので、以下では説明を省略する。図２は本実施形態２の緑化パネルとなる箱状体１６の一例を示す斜視図、図３は前記箱状体１６の正面図である。前記箱状体１６は、図２及び図３に示すように、例えば表面が亜鉛メッキされその上にビニールコーティングされた鉄製の棒状体（ワイヤ）１７を例えば５０ｍｍ間隔で互いに縦横方向に平行に延びる略格子状（又は略ネット状）に組み合わせて溶接等で固定し、全体として略箱状（上方は開放されている略箱状）に形成したものである。このように、前記箱状体１６は、鉄製の棒状体１７を略格子状に組み合わせて形成しているので、後述する取付金具（壁面当接体）の一部を箱状体１６の内部に挿通、挿入するための孔又は開口部（窓部、空間部など）が多数、存在している。なお前記箱状体１６の平面は例えば６００〜９００ｍｍの略正方形である。
【００４６】
なお、この箱状体１６を使用して緑化パネルを構成するときは、例えば、前記箱状体１６の底面、背面（建物の外壁面１０ａと対向する面）及び両側面の外周側を例えばロックウール、スポンジその他の水透過性を有する素材で覆い、その後、前記箱状体１６内に水苔その他の培養土を収容し（敷き詰めて）、その後、前記箱状体１６の前面側から前記培養土中に植物を植栽する。なお、図２，３において、符号１７ａは前記箱状体１６（格子状体）の上方端部を構成する棒状体（後述する取付金具（壁面当接体）２１の上方の鉤部２３に取り付けられる部分。図６参照）、符号１７ｂは前記箱状体１６（格子状体）の下方端部を構成する棒状体（後述する取付金具（壁面当接体）２１の下方の鉤部２４に取り付けられる部分。図６参照）である。
【００４７】
次に、本実施形態２において、前記箱状体１６（緑化パネル）を、前記外壁面１０ａから突出した前記金属製棒状体１１の頭部１１ｂに取り付けるための取付金具（壁面当接体）２１について説明する。この取付金具（壁面当接体）２１については、前記実施形態１に関して図１Ａ（ｃ）、図１Ｃ、図４、及び図５などを参照して説明したものと同一である。なお図４において、前記鉤部２３は、前記箱状体１６の上端部を構成する棒状体１７ａ（図２，３参照）を受け入れる（挿通させる）挿通部２３ａと、前記棒状体１７ａを載置し係止する載置部２３ｂとを含んでいる。また前記鉤部２４は、前記箱状体１６の下端部を構成する棒状体１７ｂ（図２，３参照）を受け入れる（挿通させる）挿通部２４ａと、前記棒状体１７ｂを載置し係止する載置部２４ｂとを含んでいる。
【００４８】
本実施形態２においては、前記実施形態１と同様に、前記取付金具（壁面当接体）２１の背面部（板状部分）２１ａの略中央部に、重力方向に対して斜め方向に延びる挿通孔（長穴）２２が、形成されている。よって、本実施形態２では、前記取付金具（壁面当接体）２１を前記外壁面１０ａから突出する前記金属製棒状体１１の頭部１１ｂに固定するとき、図５に示すように、前記金属製棒状体１１の頭部１１ｂ（外壁面１０ａから突出する部分）を前記挿通孔（長穴）２２に挿通した後、その挿通孔（長穴）２２中で前記頭部１１ｂを前記斜め方向に相対的に移動させる（図５の矢印α参照）ことにより、前記頭部１１ｂに対する取付金具（壁面当接体）２１の上下方向及び左右方向の位置（よって外壁面１０ａに対する緑化パネルの位置）を調整しながら位置決めすることができる。前記取付金具（壁面当接体）２１は、前述のように位置決めされた後、図５に示すナット２７及びスプリングワッシャ（図１Ｂ（ｂ）の符号２７ａ参照）などにより前記金属製棒状体１１の頭部１１ｂ（雄ネジが形成されている）に固定される。
【００４９】
なお、前述のように、本実施形態２では、前記箱状体１６の上端及び下端部分の各棒状体１７ａ，１７ｂ（図２，３参照）が、それぞれ、前記取付金具（壁面当接体）２１の各鉤部２３，２４中の挿通部２３ａ，２４ａに挿入され、さらにその下方の載置部２３ｂ，２４ｂに載置、係止される。図４，５において、２５，２６は前記箱状体１６の上端及び下端部をそれぞれ構成する各棒状体１７ａ，１７ｂ（図２，３参照）が前記各挿通部２３ａ，２４ａに挿通されるとき、一緒に、前記箱状体１６の各孔（各棒状体１７の間の隙間である開口部）から前記箱状体１６の内部に挿通、挿入される部分である。
【００５０】
すなわち、本実施形態２では、図６（ａ）に示すように、箱状体１６の上端部の外壁面１０ａ側を構成する棒状体１７ａは、取付金具（壁面当接体）２１の図示下方の挿通部２３ａ内に挿通、挿入され更に図示右方向に移動した後（図６（ｂ）参照）、下降されることにより、前記鉤部２３の下方の載置部２３ｂ上に載置、係止される（図６（ｃ）参照）。また、図６（ａ）に示すように、箱状体１６の下端部の外壁面１０ａ側を構成する棒状体１７ｂは、取付金具（壁面当接体）２１の図示上方の挿通部２４ａ内に挿通、挿入され更に図示右方向に移動した後（図６（ｂ）参照）、下降されることにより、前記鉤部２４の下方の載置部２４ｂ上に載置、係止される（図６（ｃ）参照）。このとき、前記各部分２５，２６も前記棒状体１７ａ，１７ｂと一緒に、前記箱状体１６の各孔（各棒状体１７の間の隙間である開口部）から前記箱状体１６の内部に挿通、挿入される（図６（ｂ）参照）。以上の動作により、「前記金属製棒状体１１の頭部１１ｂ（外壁面から突出した部分）に前記ナット２７（図１Ｂ（ｃ）、図５参照）等で固定された取付金具（壁面当接体）２１」を介しての、緑化パネル（箱状体１６）の外壁面１０ａへの取付けが行われる。
【００５１】
図７〜図１０はこのようにして、緑化パネル（箱状体１６）の外壁面１０ａへの取付けが行われた後の状態を示す斜視図である。すなわち、図７〜１０では、外壁面から突出する前記金属製棒状体１１の頭部１１ｂを、前記取付金具（壁面当接体）２１の挿通孔（長穴）２２内で相対的に移動させつつ調整することにより緑化パネルの外壁面１０ａに対する位置を調整した後の様子が示されている（特に図７，８，９など参照）。なお、図７〜９では、前記取付金具（壁面当接体）２１と外壁１０との間の摩擦力を高めることにより、前記金属製棒状体１１を外壁面１０ａに対してより安定的に支持できるようにするため、前記取付金具（壁面当接体）２１と外壁１０との間にゴム製シートが介在させられている。
【００５２】
また、図７〜１０では、前記箱状体１６の上端部（上端部の外壁面側）を構成する棒状体１７ａ（図６（ａ）参照）が、取付金具（壁面当接体）２１の挿通部２３ａ内に挿通、挿入された後（図６（ｂ）参照）、下降されて載置部２３ｂ上に載置、係止されている状態（図６（ｃ）参照）、及び、このとき前記鉤部２３の下方部分２５が前記箱状体１６の孔（各棒状体１７の間の隙間である開口部）から前記箱状体１６の内部に挿通、挿入されている状態が示されている。
【００５３】
また同様に、図７〜１０では、前記箱状体１６の下端部（下端部の外壁面側）を構成する棒状体１７ｂ（図６（ａ）参照）が、取付金具（壁面当接体）２１の挿通部２４ａ内に挿通、挿入された後（図６（ｂ）参照）、下降されて載置部２４ｂ上に載置、係止されている状態（図６（ｃ）参照）、及び、このとき前記鉤部２４の上方部分２６が前記箱状体１６の孔（各棒状体１７の間の隙間である開口部）から前記箱状体１６の内部に挿通、挿入されている状態も示されている。
【００５４】
以上説明したように、本実施形態２においては、前記各箱状体（緑化パネル）１６を、前記取付金具（壁面当接体）２１の鉤部２３，２４に載置又は係止するだけで、壁面緑化システムを構築することができるので、壁面緑化システム設置のための材料コスト及び作業コストを従来と比較して大幅に低減しながら、緑化パネル１６を外壁面１０ａに容易に且つ安定的に取り付けることができるようになる。
【００５５】
特に、本実施形態２においては、前記取付金具（壁面当接体）２１中の背面部（板状部分）２１ａに、前記外壁面１０ａから突出する前記金属製棒状体１１の頭部１１ｂが挿通可能な挿通孔（長穴）２２であって重力方向に対して斜め方向に延びる挿通孔（長穴）２２を形成するようにしたので、各箱状体（緑化パネル）１６を外壁面１０ａに取り付けるとき、作業者は、前記外壁面１０ａから突出する前記金属製棒状体１１の頭部１１ｂを前記挿通孔（長穴）２２内に挿通させた後に前記頭部１１ｂと前記挿通孔（長穴）２２との位置を相対的に移動させることにより、外壁面１０ａと前記頭部１１ｂに固定される前記取付金具（壁面当接体）２１の鉤部２３，２４すなわち前記各箱状体（緑化パネル）１６との相対的な位置調整（上下及び左右方向の調整）を極めて容易に行えるようになる。
【００５６】
また、本実施形態２においては、前記外壁面１０ａから突設された前記金属製棒状体１１の頭部１１ｂが、前記胴体部１１ａを介してコンクリート壁に埋設されたセパレーター１に固定されているので、建物完成後にアンカーボルト等を使用して支持用の棒などを外壁に外付けする場合などと比較して、前記各箱状体（緑化パネル）１６を取り付けるための取付金具（壁面当接体）を、極めて低コストで且つ強固に外壁に設置することができる。
【００５７】
また、本実施形態２においては、前記箱状体１６の外周部に、前記取付金具（壁面当接体）２１の一部を外部から自らの内部に挿通可能な孔又は開口部（窓部、空間部など）を複数形成しておき、前記箱状体１６の上端部又は下端部を構成する棒状体１７ａ，１７ｂ（孔又は開口部の縁部）を、前記取付金具（壁面当接体）２１の鉤部２３，２４に係止又は載置できるようにしたので、極めて簡単な作業だけで、前記取付金具（壁面当接体）２１に前記箱状体１６を取り付けることができる。
【００５８】
さらに、本実施形態２においては、前記箱状体１６の外周部を、細長い棒状体１７が互いに離間及び交差しながら固定する略格子状となるように形成しておき、前記箱状体１６を構成する棒状体１７の一部１７ａ，１７ｂを、前記取付金具（壁面当接体）の鉤部２３，２４に係止又は載置するようにしたので、極めて簡単な作業だけで、前記取付金具（壁面当接体）２１に前記箱状体１６を取り付けることができる。
【００５９】
以上、本発明の実施形態について説明したが、本発明は前記の実施形態として述べたものに限定されるものではなく、様々な修正及び変更が可能である。例えば、前記実施形態１においては、壁面当接体（取付金具）２１の板状部分２１ａを壁面１０ａに直接当接させるようにしたが、本発明では、板状部分２１ａと壁面１０ａとの間に、例えば摩擦抵抗を高めるための「中心部に開口部を有するゴム製円板」を介在させるようにしてもよい（この場合は、板状部分２１ａは壁面１０ａに対して当接ではなく対向する）。また、前記実施形態２においては、外壁面１０ａから突出する前記金属製棒状体１１の頭部１１ｂを使用して緑化パネル（箱状体）を取り付ける鉤部２３，２４を有する取付金具（壁面当接体）２１を外壁１０に取り付けるようにしたが、本発明ではこれに限られるものではなく、緑化パネル（箱状体）を取り付ける鉤部は、例えば棒状又は鉤状の支持体をアンカーボルトなどでコンクリート外壁面１０ａに外付け（後付け）してものであってもよい。
【００６０】
また、前記実施形態２においては、前記取付金具（壁面当接体）２１の両側部２１ｂの前方（外壁面から離れる方向）端部の上下の各位置にそれぞれ鉤部２３，２４を備えるようにしたが、本発明ではこれに限られるものではなく、例えば１つの取付金具（壁面当接体）の両側部にそれぞれ１つだけの鉤部を備えるようにしてもよい。
【００６１】
また、前記実施形態２の図４，５に示す例では、前記取付金具（壁面当接体）２１の挿通孔（長穴）２２を、重力方向に対して約４５度斜め方向に延びる長穴としたが、本発明ではこれに限られることなく、例えば重力方向に対して約３０〜６０度のいずれかの角度で斜め方向に延びる長穴としてもよい。また、前記の図４，５に示す例では、取付金具（壁面当接体）２１の背面部（板状部分）２１ａに挿通孔（長穴）２２を１つだけ形成するようにしているが、本発明においては、この長穴に対して約９０度交差するもう１つの長穴をも形成する（すなわち、全体として平面が略Ｘ字状の長穴を形成する）ようにしてもよい。
【００６２】
さらに、前記実施形態２においては、前記取付金具（壁面当接体）２１中の前記鉤部２３，２４とその下方又は上方の部分２５，２６とを前記箱状体１６内に挿通、挿入できるようにするために、前記箱状体１６を、棒状体１７が互いに離間しながら固定されることにより全体として略格子状に形成されるように構成したが、本発明ではこれに限られるものではなく、例えば平板状部材に複数の孔（窓部などの開口部）を形成することにより、前記取付金具（壁面当接体）２１中の前記鉤部２３，２４とその下方又は上方の部分２５，２６が前記箱状体１６内に挿通、挿入できるようにしてもよい。
【符号の説明】
【００６３】
１     コンクリート型枠セパレーター
１ａ，１ｂ    端部
１０   コンクリート壁
１０ａ 壁面
１１   金属製棒状体
１１ａ 胴体部
１１ａａ      胴体部のネジ穴
１１ａｃ     胴体部の端面
１１ｂ 頭部
１１ｂａ      頭部の胴体部端面との境界近傍部分
１６   箱状体（緑化パネル）
１７，１７ａ，１７ｂ 箱状体（緑化パネル）の外周部を構成する棒状体
２１   取付金具（壁面当接体）
２１ａ 背面部（板状部分）
２１ｂ 側面部
２２   挿通孔（長穴）
２３，２４   鉤部
２３ａ，２４ａ 挿通部
２３ｂ，２４ｂ 載置部
２５   鉤部の上方部分
２６   鉤部の下方部分
２７   ナット
２７ａ ワッシャー
４１   空洞部
４１ａ 奥側平面
４１ｂ 仮想平面
【図１Ａ】
2016042815.tif 000003
【図１Ｂ】
2016042815.tif 000004
【図１Ｃ】
2016042815.tif 000005
【図４】
2016042815.tif 000006
【図５】
2016042815.tif 000007
【図６】
2016042815.tif 000008
【図１１】
2016042815.tif 000009
【図２】
2016042815.tif 000010
【図３】
2016042815.tif 000011
【図７】
2016042815.tif 000012
【図８】
2016042815.tif 000013
【図９】
2016042815.tif 000014
【図１０】
2016042815.tif 000015